(57)【要約】【課題】同じ時間帯での新たな放送番組の予約設定が可能か否かを容易にかつ即座に認識でき、制限数の予約設定放送番組が存在する時間帯でも、新たな放送番組の予約設定を容易に行なうことができるようにする。【解決手段】いま、ＴＶ受像機に２つのチューナが設けられ、夫々を任意にしよう可能であるとすると、受信放送番組表画面３１にこれらチューナ毎の予約状況表示エリア３７ａ，３７ｂが設けられ、夫々に該当するチューナの予約状況が表示される。同じ時間帯に既に２つのチューナが予約済みの場合に、予約操作をすると、警告画面４４が表示され、選択項目「優先順位設定へ」４５を選択すると、新たに予約する放送番組と既に予約されている放送番組とのチューナ使用の優先順位を変更することができ、新たに予約する放送番組に対してチューナを使用することを可能にすることができる。【選択図】        図５
2004153655.tif 000002
【特許請求の範囲】
【請求項１】
複数のチューナを介して受信した放送番組表などの放送番組情報を表示画面に表示する放送番組情報の表示方法であって、
受信した放送番組に、時間帯毎の夫々の該チューナの予約の有無を示す情報を付加して表示することを特徴とする放送番組情報の表示方法。
【請求項２】
複数のチューナを備えた受像機での、該チューナを介して受信した放送番組表などの放送番組情報を表示画面に表示する放送番組情報の表示方法であって、
受信した該番組表から所望番組の予約設定が可能であり、
同一時間帯で予約設定しようとする番組の数が該チューナの個数を越えたとき、該番組に予約設定のための優先順位を設定するための画面を表示することを特徴とする放送番組情報の表示方法。
【請求項３】
請求項２において、
前記番組の予約設定は、ユーザ毎に設定可能であって、
新たに所望番組の予約設定に際し、該所望番組の放送時間帯に空いているチューナがなく、かつ該所望番組の予約設定をするユーザに既に予約設定された番組がある場合、該既に予約設定された番組の優先順位を変更し、該所望番組の予約設定の優先順位を高くすることを可能とする優先順位設定画面を表示することを特徴とする放送番組情報の表示方法。
【請求項４】
請求項３において、
前記優先順位設定画面に表示される他のユーザによる前記既に予約設定された番組の優先順位を変更する場合には、他のユーザによって既に予約設定された番組であることの確認のためのメッセージを前記優先順位設定画面に表示することを特徴とする放送番組情報の表示方法。
【請求項５】
複数のチューナを備えた受像機での、該チューナを介して受信した放送番組表などの放送番組情報を表示画面に表示する放送番組情報の表示方法であって、
ユーザ毎に受信した該番組表から所望番組の予約設定やチェックの登録を可能として、ユーザ毎に登録された番組からなるマイ番組表が作成されて夫々毎に表示可能であり、
表示されるマイ番組表は、現時点以前の内容も表示可能であることを特徴とする放送番組情報の表示方法。
【請求項６】
請求項５において、
前記マイ番組表で予約録画が設定されていない既に放送済みの番組に対しては、該放送済みの番組の再放送時での録画が可能に予約録画の設定をするための手段を前記マイ番組表の画面に表示可能とすることを特徴とする放送番組情報の表示方法。
【請求項７】
請求項５において、
前記マイ番組表の画面で録画済みの番組を選択可能とし、該録画済みの番組を選択すると、該録画済み番組の再生を行なわせることを特徴とする放送番組情報の表示方法。
【請求項８】
複数のチューナを備えた受像機での、該チューナを介して受信した放送番組表などの放送番組情報を表示画面に表示する放送番組情報の表示方法であって、
現時点以前の放送番組表を閲覧可能とし、
録画予約がなされていない既に放送済みの放送番組が選択された場合には、該放送番組の再放送時での録画が可能に録画予約の設定をするための手段を前記放送番組表に表示し、
録画済みの放送番組が選択された場合には、該録画済み放送番組の再生を行なわせることを特徴とする放送番組情報の表示方法。
【発明の詳細な説明】
【０００１】
【発明の属する技術分野】
本発明は、ＴＶ（テレビジョン）受像機などでの放送番組表などの放送番組に関する情報を表示するための放送番組情報の表示方法に関する。
【０００２】
【従来の技術】
従来、放送番組を予約録画したり、視聴予約したりするためには、新聞や雑誌などの番組表が用いられていたが、近年では、放送番組に重畳されて送られる番組情報を用いて所望放送番組の録画予約や視聴予約を行なうことが提案されている。
【０００３】
その一例としては、かかる予約をしたい放送番組に関する項目を指定することによって予約を行なうものである。かかる指定項目としては、日付指定，曜日指定，タイトル指定，条件一致指定がある。
【０００４】
日付指定は、録画あるいは視聴予約する放送番組の放送日や放送時間帯，放送チャンネルなどを指定することによって録画予約や視聴予約するものであり、かかる指定された日時になると、指定されたチャンネルの放送番組が録画され、あるいは受信・表示される。曜日指定は、録画あるいは視聴予約する放送番組の放送の曜日や放送時間帯，放送チャンネルなどを指定することによって録画予約や視聴予約するものであり、かかる指定された曜日の放送時間帯になると、指定されたチャンネルの放送番組が録画され、あるいは受信・表示される。
【０００５】
タイトル指定は、放送番組のタイトルを指定することにより、これに一致するタイトルの放送番組の録画あるいは視聴予約をするものであって、放送番組に重畳されて送られる番組情報の一覧をディスプレイに表示させ、この一覧から録画予約あるいは視聴予約したい放送番組のタイトルを選択することによってかかる予約を行なうものである。その後、このタイトルの放送番組が受信されると、これが自動的に録画され、あるいは表示される。
【０００６】
条件一致指定は、予約したい放送番組のキーワードや他の検索条件などを入力して指定することにより、録画予約や視聴予約を行なうものであり、かかるキーワードや検索条件などに合致する放送番組を番組情報から検索し、その検索結果の放送番組を録画予約，視聴予約するものである（例えば、特許文献１参照）。
【０００７】
放送番組の録画予約，視聴予約に関する他の例として、受信されて表示される放送番組表（以下、受信放送番組表という）から所望の番組を選択して録画予約や視聴予約などの設定がなされると、予約設定されたかかる放送番組（以下、予約設定放送番組という）のみからなるマイ（Ｍｙ）番組表が作成され、これを表示される受信放送番組表とともに表示するようにしたものがある。
【０００８】
このマイ番組表では、夫々の予約設定放送番組の番組名やその放送チャンネルなどがその放送番組の時間帯に表示される。これにより、ユーザはマイ番組表から自分が選択・設定した放送番組を簡単に確認することができる。この技術では、録画予約や視聴予約ばかりでなく、録画予約や視聴予約をする程でもないが、関心のある番組に対しては、それを確認し易くするために、「チェック」という設定もできるようにしており、このようにチェック設定された放送番組も、予約設定放送番組として、マイ番組表に含まれる。このような予約設定放送番組に対しては、この設定を解除することもできる。なお、以下では、録画予約や視聴予約の設定ばかりでなく、チェック設定も含めて、予約設定ということになる。但し、ここの場合を言うときには、録画予約の設定、視聴予約の設定、チェック設定という。
【０００９】
また、かかる技術では、同じ時間帯で予め決められた個数の放送番組の予約設定を可能としており（一例として、３個の場合が示されている）、また、録画予約や視聴予約，チェック毎にマイ番組表での放送番組の文字や背景の色を異ならせて夫々の予約設定の種類を判別することができるようにしている。
【００１０】
さらに、マイ番組表のみを表示画面全体に表示させるようにすることも可能としているし、ユーザ毎にマイ番組表を作成することもできるようにしている。さらに、ジャンルや出演者などの特定の条件を設定することにより、かかる特定の条件を満たす放送番組を受信放送番組表から検索し、この検索結果得られた放送番組を予約設定放送番組として、マイ番組表を作成するようにすることもできるようにしている（例えば、特許文献２参照）。
【００１１】
【特許文献１】
特開平１１ー２３２７２５号公報
【００１２】
【特許文献２】
特開２００１ー１１９６３９号公報
【００１３】
【発明が解決しようとする課題】
ところで、上記特許文献１に記載の従来技術では、同じ時間帯で同時に放送される番組の予約に関しては、配慮されていない。複数のチャンネルから同じ時間帯で番組放送されているが、ユーザとしては、既に予約されている放送番組と同じ時間帯の放送番組を新たに予約したい場合もある。このような新たな放送番組を予約操作をすると、その予約ができないか、既に予約されている放送番組の予約が無効となるかいずれかが考えられるが、このような事態になることは予めユーザは知ることができない。
【００１４】
勿論、この特許文献１に記載の従来技術では、録画予約の内容の一覧が表示できるようにしているが、新たに放送番組の予約を行なう毎にこのような一覧を見てこれと同じ時間帯の放送番組が予約されているかどうかを確認することはできるが、このようにすることは、ユーザにとって非常に煩わしいものである。
【００１５】
また、上記特許文献２に記載の従来技術では、同じ時間帯に予め決められた個数の放送番組を予約することができるようにしている。同じ時間帯での予約設定された放送番組はマイ番組表で表示され、しかも、このマイ番組表は受信放送番組表とともに表示されるものであるから、少なくとも受信放送番組表を表示させるとともに、同じ時間帯での予約設定放送番組の個数を認識することができる。そこで、実際に同じ時間帯で予約設定可能な放送番組数をユーザが知っていれば、既に予約設定放送番組が存在する時間帯でさらに新たな放送番組の選択設定が可能であるかどうかを判断することができるが、通常、ユーザは同じ時間帯にどの位の個数の放送番組を予約設定できるか、というようなことは認識しておらず、新たな所望放送番組の予約設定を行なって初めて予約設定ができるかどうかが判るものであり、その分無駄な操作をしなければならないことになる。
【００１６】
さらに、上記特許文献２に記載の発明では、既に制限個数いっぱいの予約設定された放送番組が存在する時間帯で、さらに所望の放送番組をどうしても録画や視聴の予約設定をしたい場合、既に存在する予約設定放送番組の１つを設定解除しなければならないが、その予約設定放送番組を指定してその設定を取り消すための画面を表示させ、その画面で取消しを選択するといった一連の操作が可能となり、操作にある程度の手間がかかることになる。
【００１７】
本発明の第１の目的は、かかる問題を解消し、複数のチューナを備えた受像機を複数のユーザが使用する場合において、同じ時間帯での新たな放送番組の予約設定が可能か否かを容易にかつ即座に認識でき、制限数の予約設定放送番組が存在する時間帯でも、新たな放送番組の予約設定を容易に行なうことができるようにした放送番組情報の表示方法をを提供することにある。
【００１８】
また、上記特許文献２に記載の発明では、マイ番組表は現時点以降からの内容が表示され、現時点以前の時間経過した内容は消去されて表示されない。このため、ユーザとしては、過去にどのような放送番組を予約設定したのか、チェック設定したのかを番組表からは知ることができないし、録画されている放送番組がどのような放送番組であるかを記憶に頼らざるを得ない。
【００１９】
これに対し、上記特許文献１に記載の従来技術では、録画予約によって既に録画が行なわれた放送番組の一覧（図５）も表示できるようにし、過去の録画状況を確認することができるようにしているが、このような一覧を表示させるための専用の操作が必要であるし、また、どのくらい前の番組であるかが感覚的に分かりづらい。
【００２０】
さらに、また、注目していたため、チェック設定していたが、録画せず、放送がなされてしまった後に他人の噂などの情報で録画しておいた方がよかったと思うような放送番組もある。この放送番組は既に放送がなされてしまった後であるため、通常あきらめざるを得ないが、評判となった放送番組は再放送される場合もあるので、ユーザはこれを録画することが可能である。しかし、このためには、受信放送番組表を常に監視してその再放送があるか否かを確認していなければならず、不確定な事項に対して非常な労力を要するものである。上記特許文献１，２に記載の従来技術では、このような問題に対処することができない。
【００２１】
本発明の第２の目的は、かかる問題を解消し、過去の録画番組を容易に確認することができ、再放送の放送番組も簡単に録画できるようにした放送番組情報の表示方法を提供することにある。
【００２２】
【課題を解決するための手段】
上記第１の目的を達成するために、本発明は、複数のチューナを介して受信した放送番組表などの放送番組情報を表示画面に表示する放送番組情報の表示方法であって、受信した放送番組に、時間帯毎の夫々のチューナの予約の有無を示す情報を付加して表示するものである。
【００２３】
また、本発明は、複数のチューナを備えた受像機での、チューナを介して受信した放送番組表などの放送番組情報を表示画面に表示する放送番組情報の表示方法であって、受信した番組表から所望放送番組の予約設定が可能であり、同一時間帯で予約設定しようとする放送番組の数がチューナの個数を越えたとき、放送番組に予約設定のための優先順位を設定するための画面を表示するものである。
【００２４】
放送番組の予約設定は、ユーザ毎に設定可能であって、新たに所望放送番組の予約設定に際し、所望放送番組の放送時間帯に空いているチューナがなく、かつ所望放送番組の予約設定をするユーザに既に予約設定された放送番組がある場合、既に予約設定された放送番組の優先順位を変更し、所望放送番組の予約設定の優先順位を高くすることを可能とする優先順位設定画面を表示するものである。
【００２５】
そして、優先順位設定画面に表示される他のユーザによる既に予約設定された放送番組の優先順位を変更する場合には、他のユーザによって既に予約設定された放送番組であることの確認のためのメッセージを優先順位設定画面に表示するものである。
【００２６】
上記第２の目的を達成するために、本発明は、複数のチューナを備えた受像機での、チューナを介して受信した放送番組表などの放送番組情報を表示画面に表示する放送番組情報の表示方法であって、ユーザ毎に受信した番組表から所望放送番組の予約設定やチェックの登録を可能として、ユーザ毎に登録された放送番組からなるマイ番組表が作成されて夫々毎に表示可能であり、表示されるマイ番組表は、現時点以前の内容も表示可能であるものである。
【００２７】
そして、マイ番組表で録画予約な設定されたいない既に放送済みの放送番組に対しては、放送済みの放送番組の再放送時での録画が可能に録画予約の設定をするための手段をマイ番組表の画面に表示可能とするものである。
【００２８】
あるいは、マイ番組表の画面で録画済みの放送番組を選択可能とし、録画済みの放送番組を選択すると、録画済み番組の再生を行なわせるものである。
【００２９】
また、上記第２の目的を達成するために、本発明は、複数のチューナを備えた受像機での、かかるチューナを介して受信した放送番組表などの放送番組情報を表示画面に表示する放送番組情報の表示方法であって、現時点以前の放送番組表を閲覧可能とし、録画予約がなされていない既に放送済みの放送番組が選択された場合には、この放送番組の再放送時での録画が可能に録画予約の設定をするための手段を放送番組表に表示し、録画済みの放送番組が選択された場合には、この録画済み放送番組の再生を行なわせるものである。
【００３０】
【発明の実施の形態】
ます、本発明による放送番組情報の表示方法を用いたＴＶ受像機について説明する。
【００３１】
図１はかかるＴＶ受像機の要部を示すブロック図であって、１はＴＶ受像機、２ａは第１のチューナ、２ｂは第２のチューナ、３ａ〜３ｃはデータ記録部、４は表示データ作成部、５は制御部、６は送受信部、７は表示データ合成部、８は信号出力部、９は表示装置である。
【００３２】
同図において、ＴＶ受像機１には、第１，第２の２つのチューナ２ａ，２ｂが設けられており、制御部５の制御のもとに、夫々独立に選局動作が行なわれ、異なるチャンネルの放送番組を別々に受信することができ、また、放送番組表などの放送番組情報も受信することができる。また、図示しないリモートコントローラ（以下、リモコンという）からの指令信号は送受信部６で受信されて制御部５に供給され、制御部５は、この指令信号に基づいて、各部の制御を行なう。
【００３３】
このリモコンによって所定のチャンネルが指定され、そのチャンネルの放送番組の視聴が指令されると、チューナ２ａ，２ｂのいずれかで受信され、信号処理されたこの指定チャンネルの放送番組の信号が表示データ合成部７を介して信号出力部８に供給され、そこで所定の処理がなされて表示装置９に供給される。これにより、表示装置９では、この受信された放送番組の映像が表示され、音声が再生される。また、リモコンによって録画指定がなされているときには、チューナ２ａ，２ｂのいずれかで受信され、信号処理されたこのリモコンによる指定チャンネルの放送番組信号が、ハードディスクやＤＶＤ，ＲＡＭなどからなるデータ記録部３ｃに記録される。
【００３４】
ここで、チューナ２ａ，２ｂが同時に放送番組の受信を行なうときには、リモコンからの指令により、いずれか一方の受信放送番組が表示装置９に供給されてその放送番組の視聴が行なわれ、他方の受信放送番組がデータ記録部３ｃに記録されるが、リモコンの指令によっては、あるいは後述の録画予約の仕方によっては、これらチューナ２ａ，２ｂで受信された放送番組をともにデータ記録部３ｃに記録させることもできる。このため、データ記録部３ｃは、例えば、２つの記録領域に区分されており、チューナ２ａ，２ｂのいずれかの受信放送番組を記録する場合には、これら記録領域のいずれかに適宜記録されるが、チューナ２ａ，２ｂの受信放送番組をともに記録する場合には、夫々を異なる記録領域に記録するようにする。これにより、これら受信放送番組を同時にデータ記録部３ｃに記録することができる。
【００３５】
また、チューナ２ａ，２ｂのいずれか一方で視聴のための番組受信が行なわれているときに、リモコンの指令により、あるいは後述の録画予約により、録画の指令が制御部５にあると、制御部５は他方のチューナからの録画のための受信を開始させる。逆に、チューナ２ａ，２ｂのいずれか一方で録画のための番組受信が行なわれているときに、リモコンの指令により、あるいは後述の録画予約により、視聴もしくは他のチャンネルの録画の指令が制御部５にあると、このときも同様に、制御部５は他方のチューナからの視聴もしくは録画のための受信を開始させる。
【００３６】
また、このＴＶ受像機１はチューナ２ａ，２ｂから放送番組表やその付加情報（これらをまとめて、放送番組情報という）を受信可能であって、受信された放送番組情報はハードディスクなどからなるデータ記録部３ａに記録される。このデータ記録部３ａに記録された放送番組情報は表示装置９で表示可能であって、この表示のための指示がリモコンからあると、制御部５の制御のもとに、データ記録部３ａから放送番組情報が読み出され、表示データ作成部４で処理されて放送番組情報の表示信号が作成され、表示データ合成部７及び信号出力部８を介して表示装置９に供給される。これにより、表示装置９では、放送番組表などの放送番組情報が表示される。以下では、受信されたかかる放送番組を受信放送番組という。
【００３７】
さらに、このＴＶ受像機１では、表示装置９で表示される受信放送番組表から所望とする放送番組の録画予約や視聴予約の登録，関心のある放送番組や注目放送番組の登録を行なうことができ、このように登録された放送番組の情報はハードディスクなどからなるデータ記録部３ｂに記録される。このような登録は、ユーザ毎に区別して行なうことができる。かかる登録放送番組の情報は、放送番組情報をデータ記録部３ａから読み出して表示装置９で表示するとき、表示データ作成部４でこの放送番組情報と合成され、表示装置９で受信放送番組表と合成されて表示させることができるとともに、また、データ記録部３ｂから登録放送番組の情報を読み出して表示データ作成部４で処理し、これを表示装置９に供給することにより、マイ番組表として、登録放送番組の情報のみを表示させるようにすることもできる。上記の予約などをユーザ毎に区別して行なうことができるので、かかるマイ番組表も、ユーザ毎に作成することができる。
【００３８】
図２は図１に示すＴＶ受像機１に用いられるリモコンの一具体例の要部を示す正面図であって、１１は電源キー、１２は番組表キー、１３は上キー、１４は右キー、１５は下キー、１６は左キー、１７は決定キー、１８は機能キー、１９は戻るキー、２０はテンキーである。
【００３９】
同図において、リモコン１の操作面には、図１に示すＴＶ受像機１の電源をオン，オフするための電源キー１１と、表示部９（図１）に放送番組表を表示させるための番組表キー１２と、この表示装置９の表示画面（図示せず）でカーソルを上方向に移動させるための上キー１３と、このカーソルを右方向に移動させるための右キー１４と、このカーソルを下方向に移動させるための下キー１５と、このカーソルを左方向に移動させるための左キー１６と、このカーソルで選択された項目を決定する決定キー１７と、後述する機能メニュー画面を表示装置９の表示画面に表示させるための機能キー１８と、この表示画面で表示される画面を前に表示された画面に戻す戻るキー１９と、チャンネル設定などのためのテンキーなどが設けられている。
【００４０】
なお、図２においては、音量調整キー，録画キーなどのＴＶ受像機のリモコンに通常設けられているが、本発明にとって格別重要でない操作キーは省いて図示していない。
【００４１】
次に、図１及び図２からなるＴＶ受像機１に適用されるものとして、制御部５の制御のもとに行なわれる本発明による放送番組情報の表示方法の一実施形態について、図３〜図１２により説明する。
【００４２】
リモコン１０の電源キー１１が操作されると、ＴＶ受像機１の電源がオンして受信を開始し、表示装置９に、図３（ａ）に示すように、受信を開始した放送番組の番組画面３０が表示される。かかる表示状態でリモコン１０の番組表キー１２が操作されると、データ記録部３ａから受信した放送番組情報が読み出され、上記のように処理されて表示装置９に供給される。これにより、表示装置９では、図３（ｂ）に示すような受信した放送番組表（受信放送番組表という）３２を表わす画面、即ち、受信放送番組表画面３１が表示される。
【００４３】
この受信放送番組表３２は、その上辺部にチャンネルを横方向に配列して表示するチャンネル表示エリア３３が、その左辺部に１時間毎の時間帯を縦方向に配列して表示する時間帯表示エリア３４が夫々設けられており、各チャンネル毎に夫々の時間帯での放送中や放送予定の放送番組ａ，ｂ，ｃ，……（これらを総称して、以下、放送番組３５という）が配置された構成をなしている。また、かかる受信放送番組表３２では、表示される放送番組３５のいずれか１つが枠状のカーソル３６で選択されている。ここでは、放送番組ｆが選択されているものとする。このカーソル３６はリモコン１０の上キー１３，右キー１４，下キー１５，左キー１６（これらを総称して、以下、カーソル移動キーという）を操作することにより、受信放送番組表３２内を上下、左右に移動させることができ、これにより、表示される放送番組３５のうちの任意の１つを選択することができる。
【００４４】
また、受信放送番組表画面３１に同時に表示されるチャンネル３２の個数や時間帯は限られており、受信放送番組表全体を同時に表示させることができない。このために、カーソル３６とカーソル移動キー１３〜１６の操作とにより、受信放送番組表３２が上下左右に移動できるようにしている。例えば、図３（ｂ）で図示するように、カーソル３６が受信放送番組表３２の番組表示領域の下辺部に移動されている状態で、さらに、下キー１５を操作すると、カーソル３６が移動する代わりに、受信放送番組表３２が時間帯表示エリア３４とともに上方に移動し、下方から新たな時間帯の放送番組が表示されて最終の時間帯までの放送番組が見えるようにすることができるようになる。同様にして、カーソル３６を受信放送番組表３２の番組表示領域の上辺部に移動させた状態で上キー１３を操作すると、受信放送番組表３２が時間帯表示エリア３４とともに下方に移動し、上方から新たな時間帯の放送番組が表示されるようになる。この場合、現時点の時間帯よりも過去の時間帯は表示されない。同様にして、カーソル３６を受信放送番組表３２の番組表示領域の右辺部に移動させた状態で右キー１４を操作すると、受信放送番組表３２がチャンネル表示エリア３３とともに左方に移動し、カーソル３６を受信放送番組表３２の番組表示領域の左辺部に移動させた状態で左キー１６を操作すると、受信放送番組表３２がチャンネル表示エリア３３とともに右方に移動し、別のチャンネルの放送番組を見ることができる。
【００４５】
受信放送番組表３２には、さらに、例えば、その左端部に、２つのチューナ予約状況表示エリア３７ａ，３７ｂが設けられている。チューナ予約状況表示エリア３７ａでは、放送番組の放送時間毎にＴＶ受像機１の第１のチューナ２ａが録画予約や視聴予約がなされているか否かという予約状況がその予約ユーザとともに表示され、チューナ予約状況表示エリア３７ｂでは、放送番組の放送時間毎に第２のチューナ２ｂの予約状況がその予約ユーザとともに表示される。図３（ｂ）に示す状態では、予約ユーザＢにより、９時の時間帯のある放送番組に対し、第２のチューナ２ｂが予約されていることを示している。
【００４６】
かかる表示状態の図３（ｂ）において、放送番組ｆが選択された状態でリモコン１０の決定キー１７が操作されると（以下、カーソルで選択して決定キー１７で決定することを選択・決定という）、図３（ｃ）に示すように、受信放送番組表３２に重なって設定選択画面３８が表示される。この実施形態では、例えば、家族などの複数のユーザ毎に録画予約や視聴予約，チェックの設定をすることが可能であり、いま、夫々のユーザをＡ，Ｂ，Ｃ，Ｄとすると、この設定選択画面３８では、これらユーザＡ，Ｂ，Ｃ，Ｄが設定することを指定するための、即ち、これらユーザＡ，Ｂ，Ｃ，Ｄを表わすアイコンＡ，Ｂ，Ｃ，Ｄが表示される。設定選択画面３８が表示されたときには、これらアイコンＡ，Ｂ，Ｃ，Ｄの１つがカーソル３６ａでもって選択された状態にあり、リモコン１０の右キー１４，左キー１６を操作することにより、カーソル３６ａを左右に移動させて他の任意のアイコンを選択することが可能である。このとき、受信放送番組表３２のカーソル３６は移動せず、これによって同じ放送番組の選択状態が保持される。
【００４７】
また、設定選択画面３８には、「録画予約」，「視聴予約」，「チェック」，「中止」の選択項目３９が表示されており、アイコンＡ，Ｂ，Ｃ，Ｄのいずれかが選択・決定され、これによって予約の設定をするユーザ（以下、設定ユーザという）が決定されると、図示しないが、カーソル３６ａがかかる選択項目３９のいずれかに移ってそのいずれか１つを選択した状態にする。
【００４８】
いま、この設定選択画面３８で設定ユーザＡが決定され、また、選択項目「録画予約」３９が選択・決定されると、受信放送番組表３２に重なって、設定選択画面３８の代わりに、図４（ａ）に示すように、録画予約の設定確認画面４０が表示される。この設定確認画面４０には、選択項目「設定する」４１と選択項目「中止」４２とが表示されており、リモコン１０の右キー１４，左キー１６を操作してカーソル３６ｂを左右に移動させることにより、そのいずれかを選択することができる。
【００４９】
そこで、カーソル３６ｂで選択項目「設定する」４１が選択・決定されると、制御部５はこのとき予約・選択されている放送番組ｆが録画予約可能であるか否か判定する。このときには、チューナ予約状況表示エリア３７ａ，３７ｂの表示から、この予約選択されている放送番組ｆの時間帯、即ち、９時の時間帯（９時００分から９時５９分まで）では、設定ユーザＢによって第２のチューナ２ｂが予約されているが、第１のチューナ２ａは予約されていないことになる。これにより、制御部５は、この放送番組ｆの録画予約を設定するとともに、この放送番組ｆの放送時間帯での第１のチューナ２ａの予約を設定し、受信放送番組表画面３１に、図４（ｂ）に示すように、その結果を表示する。ここでは、受信放送番組表３２の放送番組ｆの欄に、例えば、「Ａ  録画予約」という予約設定通知４３を表示する。そして、これとともに、チューナ予約状況表示エリア３７ａにおいて、９時の時間帯で第１のチューナ２ａが設定ユーザＡによって予約されたことを表示する。
【００５０】
図３（ｃ）に示す受信放送番組表画面３１の表示状態で設定選択画面３８の選択項目「視聴予約」３９を選択して設定した場合も、図４（ａ），（ｂ）と同様の画面が表示されて視聴予約の設定ができる。選択項目「チェック」３９については、後述する。また、選択・決定された放送番組が録画予約や視聴予約，チェックのいずれについても設定がなされていないときに、選択項目「中止」３９を選択・決定すると、これまでの設定操作結果が解除され、図３（ｂ）に示す１つ前の受信放送番組表画面３１の表示状態に戻る。
【００５１】
次に、図５により、同じ時間帯で２つのチューナ２ａ，２ｂが既に予約されており、この時間帯で新たな放送番組の録画予約、あるいは視聴予約の操作をした場合について説明する。
【００５２】
いま、９時の時間帯に２つのチューナ２ａ，２ｂが予約されているものとすると、そのとき表示される受信放送番組表画面３１では、図５（ａ）に示すように、チューナ予約状況表示エリア３７ａ，３７ｂにより、このことが表示されている。第１のチューナ２ａは、９時の放送時間帯の放送番組ｆに対する設定ユーザＡによる録画予約により、予約されており、第２のチューナ２ｂは、同じ９時の放送時間帯の図示しない他の放送番組に対する設定ユーザＢによる録画もしくは視聴予約により、予約されているものとする。
【００５３】
かかる表示状態で放送時間帯が９時の時間帯に放送される予定の放送番組ｉが選択・決定されると、図３（ｃ）で示した受信放送番組表画面３１と同様の受信放送番組表画面３１が、図５（ｂ）に示すように、表示される。そこで、この放送番組ｉを録画予約するために、設定ユーザが選択項目「録画予約」３９を選択・決定すると、制御部５はこの放送番組ｉの録画予約が可能か否かを判定するが、この放送番組ｉの放送時間帯では、２つのチューナ２ａ，２ｂが既に予約されていることから、直ちには予約設定ができない旨のメッセージを表わした図５（ｃ）に示す警告画面４４が受信放送番組表３２に重ねて表示される。この警告画面４４では、次の手順へと進むための選択項目「優先順位設定へ」４５，「戻る」４６がカーソル３６ｄで選択可能に表示されている。選択項目「戻る」４６を選択・決定すると、１つ前の図５（ｂ）に示す受信放送番組表画面３１の表示状態に戻る。さらに、図５（ａ）に示す受信放送番組表画面３１に戻るためには、設定選択画面３８の選択項目「中止」３９を選択・決定すればよい。
【００５４】
図５（ｃ）に示す警告画面４４でユーザが選択項目「優先順位設定へ」４５を選択・決定すると、図６（ａ）に示す録画予約の優先順位設定画面４７が表示される。この優先順位設定画面４７には、録画予約すべく選択・決定された放送番組ｉと、この放送番組ｉと同じ放送時間帯の既に予約設定されている放送番組との一覧４８が表示される。そして、これら一覧４８での各放送番組には、その放送時間やチャンネル名，番組名，予約の設定ユーザ名が表示されており、これとともに、各放送番組毎にチューナ予約状況欄４９が設けられて、これにチューナ２ａ，２ｂのいずれかの予約がある場合には、◎印マークが付され、予約がない場合には、×印マークが付されている。
【００５５】
ここでは、一覧４８で表示される放送番組はｘ，ｆ，ｉであって、いずれも９時の時間帯に放送されるものであり、放送番組ｘは６００ＣＨ（チャンネル）の、放送番組ｆは２００ＣＨの、放送番組ｉは３００ＣＨの夫々番組である。そして、チューナ予約状況欄４９での◎印マークが付された放送番組ｘはユーザＢによって一方のチューナが予約され、同じく放送番組ｆはユーザＡによって他方のチューナが予約されていることが表わされている。また、放送番組ｉは、録画予約のために新たに選択・決定されたものであるから、いずれのチューナも予約されておらず、チューナ予約状況欄４９では、×印マークが付されている。このとき、新たに選択・決定された放送番組ｉのチューナ予約状況欄４９にカーソル３６ｅが当てられている。
【００５６】
設定ユーザＡが、自分が既に予約設定している放送番組ｆよりも放送番組ｉの方を録画予約したい場合には、放送番組ｆよりも放送番組ｉの方の予約の優先順位を高くすればよい。このために、ユーザＡは、図６（ａ）に示す優先順位設定画面４７でカーソル３６ｅを放送番組ｉに合わせた状態で決定キー１７を操作し、図６（ｂ）に示す優先順位設定画面４７が表示されると、カーソル３６ｅを優先順位を低くする方の放送番組、この場合、放送番組ｆのチューナ予約状況欄４９に合わせ、放送番組ｆを選択する。そして、決定キー１７を操作して選択・設定すると、図６（ｃ）に示す優先順位設定画面４７となる。この優先順位設定画面４７では、これまで予約設定されていた放送番組ｆのチューナ予約状況欄４９で◎印マークから×印マークに替わり、放送番組ｉのチューナ予約状況欄４９で×印マークから◎印マークに替わる。これにより、放送番組ｉに対してチューナが予約された状態となる。
【００５７】
このようにして、同じ設定ユーザが選択した放送番組間では、予約の設定の優先順位を簡単に変更できることになる。
【００５８】
設定ユーザＡが、他の設定ユーザＢが予約設定している放送番組ｘよりも放送番組ｉの方の予約の優先順位を高くし、放送番組ｉの方を録画予約したい場合には、図６（ａ）に示す優先順位設定画面４７でカーソル３６ｅを放送番組ｉに合わせた状態で決定キー１７を操作し、図６（ｂ）に示す優先順位設定画面４７が表示されると、カーソル３６ｅを移動させ、図７（ａ）に示すように、放送番組ｘのチューナ予約状況欄４９に当る。そして、決定キー１７を操作してこの放送番組ｘを選択・決定すると、図７（ｂ）に示すように、他の設定ユーザＢが予約したこの放送番組ｘの録画（あるいは視聴）ができなくなってもよいか否かを問い合わせる確認画面５０が優先順位設定画面４７に重なって表示される。
【００５９】
この確認画面５０には、選択項目「はい」５１，「いいえ」５２が設けられており、そのいずれかを選択できるようにしている。選択項目「いいえ」５２が選択されたときには、図５（ｂ）に示す受信放送番組表画面３１に戻り、選択項目「チェック」３９や「中止」３９を選択し、この時間帯でのチューナを使う予約以外の設定ができるようにするが、選択項目「はい」５１が選択されたときには、強制的に放送番組ｘの優先順位が下がって新たな放送番組ｉの優先順位が高くなる。これにより、この放送番組ｘのチューナ予約状況欄４９のマークが×印となってチューナが使えなくなり（従って、この放送番組ｘの録画予約や視聴予約ができなくなる）、放送番組ｉは、そのチューナ予約状況欄４９のマークが◎印となって第２のチューナ２ｂの予約がなされれることになる。これにより、放送番組ｉの録画予約が可能となる。
【００６０】
このようにして、他の設定ユーザが予約設定した放送番組と予約の優先順位を反転させる場合には、一旦確認画面５０が表示され、これによって確認されてから予約の優先順位を反転させるものであり、他の設定ユーザが予約設定した放送番組との予約の優先順位の反転をむやみにできないようにする。
【００６１】
なお、ここでは、選択・決定した放送番組ｉを録画予約する場合であったが、図５（ｂ）に示す設定選択画面３８で選択項目「視聴予約」３９を選択し、チューナを必要とする視聴予約をする場合も同様である。
【００６２】
次に、図３（ｃ）に示す設定選択画面３８において、選択項目「チェック」３９を選択・決定した場合について図８により説明する。
【００６３】
図８（ａ）は図３（ｃ）と同様の受信放送番組表画面３１を示すものである。この受信放送番組表画面３１に表示される設定選択画面３８の、例えば、設定ユーザＡのアイコンを選択・決定すると、図８（ｂ）に示すように、カーソル３６ａが選択項目３９のいずれかに移り、リモコン１０の上キー１３あるいは下キー１５を操作することにより、カーソル３６ａを上下移動させて選択項目３９のいずれかを選択した状態にすることができる。ここでは、放送番組ｆのチェック設定をするものとしており、このため、選択項目「チェック」３９が選択される。このとき、設定ユーザＡのアイコンには、これが設定されたことを示す設定マーク５３が付されている。
【００６４】
かかる状態で選択項目「チェック」３９を選択・決定すると、図８（ｃ）に示すように、受信放送番組表３２の放送番組ｆの欄にチェック設定されたことを示す、例えば、ハート状のチェック設定マーク５４が表示される。このチェック設定マーク５４には、設定ユーザ（この場合、Ａ）を表わす情報も表示される。
【００６５】
なお、既にチェック設定されている放送番組のかかる設定を解除するためには、いま、図８（ｂ）に示す受信放送番組表画面３１において、選択・決定されている放送番組ｆにチェック設定マーク５４が付されているとすると、選択項目「中止」３９を選択・決定すればよい。これにより、このチェック設定が解除されることになる。
【００６６】
以上のように、設定ユーザを指定し、さらに、放送番組の録画予約や視聴予約，チェックの設定を行なうと、登録放送番組情報として、図１に示すＴＶ受像機１のデータ記録部３ｂに記録される。かかる登録放送番組情報は、設定ユーザ毎に、選択されたアイコンＡ，Ｂ，Ｃ，Ｄ毎に区別して記録される。
【００６７】
以上のように、録画や視聴の予約の設定、チェックの設定がなされると、受信放送番組表からかかる設定がなされた放送番組が選択され、選択された放送番組がユーザのマイ番組表を構成することになる。
【００６８】
ところで、マイ番組表は、設定ユーザ夫々毎の専用の放送番組表であって、或る期間内での全チャンネルの放送番組の一覧である受信放送番組表のうちの、設定ユーザが希望する放送番組のみからなるものである。かかる希望の放送番組としては、上記のような予約やチェックが設定された放送番組は勿論のことであるが、予約やチェックの設定をしないまでも、設定ユーザが見落としたなくないような放送番組もそのマイ番組表に含めることができる。つまり、マイ番組表とは、設定ユーザが受信放送番組表から必要と思われる放送番組を選択し、その選択された放送番組だけから構成される番組表である。この実施形態は、このようなマイ番組表を作成可能としている。従来では、放送番組を録画したり、視聴したりする際、非常に多くのチャンネルからなる受信放送番組表の中から希望する放送番組を探し出すようにしており、非常に手間と時間を要するものであったが、かかるマイ番組表を用いることにより、その手間と時間とが大幅に省けることになる。
【００６９】
そこで、次に、上記のような予約やチェックの設定以外での放送番組のマイ番組への登録方法について説明する。ここでは、お好みジャンルとキーワードからの登録について説明する。
【００７０】
図９はお好みジャンルからマイ番組表への登録を可能とする番組登録方法を示すものである。
【００７１】
図３（ｂ）に示す受信放送番組表画面３１の表示状態でリモコン１０の機能キー１８を操作すると、図９（ａ）に示すように、その受信放送番組表３２に重なって機能メニュー画面５５が表示される。この機能メニュー画面５５では、「お好みジャンル登録」，「番組詳細」，「番組表  表示切換」，「中止」の４つの選択項目５６が選択可能に設けられており、そのうちの１つがカーソル３６ｆによって選択された状態にある。
【００７２】
いま、上記のようにしてカーソル３６ｆを移動させて選択項目「お好みジャンル登録」５６を選択・決定すると、マイ番組表の作成ユーザＡ，Ｂ，Ｃ，Ｄのアイコンが表示され、そのうちの１つを選択・決定することにより、マイ番組表の作成者を指定することができる。なお、この作成ユーザＡ，Ｂ，Ｃ，Ｄのアイコンは、「お好みジャンル登録」，「番組詳細」の２つの選択項目５６が選択・決定されたときに表示されるものであって、他の選択項目「番組表  表示切換」，「中止」が選択・決定されたときには、表示されない。また、選択項目５６の選択・決定と作成ユーザの選択・決定の順序は、逆であってもよい。
【００７３】
選択項目「お好みジャンル登録」５６と作成ユーザとの選択・決定がなされると、図９（ｂ）に示すように、機能メニュー画面５５に代わってお好みジャンル登録画面５７が表示される。このお好みジャンル登録画面５７には、メインジャンル５８と各メインジャンル毎のサブジャンル５９とが設けられている。ここでは、メインジャンル５８としては、「スポーツ」，「ドラマ」，「映画」，「バラエティ」が設定されているものとするが、これらのみに限るものではない。これらメインジャンル５８は、カーソル３６ｇによってそのいずれか１つが選択できるものであって、選択されているメインジャンル５８には、そのサブジャンル５９が表示される。ここでは、メインジャンル「スポーツ」５７が選択されているものとし、これにより、このメインジャンル「スポーツ」５７のサブジャンル「野球」，「サッカー」，「テニス」，「バレーボール」，「バスケットボール」，「ラグビー」５８なども同時に表示される。
【００７４】
図示するように、カーソル３６ｇによってメインジャンル「スポーツ」５７が選択されると、右側にスポーツのサブジャンル５９が表示される。この状態でリモコン１０の右キー１４を操作すると、カーソル３６ｇは右方に移動してサブジャンルに移り、サブジャンル５９のいずれかを選択することができる。これらサブジャンル５９は複数個選択することができるものであって、決定キー１７が１回操作されると、カーソル３６ｇで選択されているサブジャンルが選択・決定され、マイ番組表に登録される。従って、複数のサブジャンルについて上記の選択・決定されると、これら選択・決定された全てのサブジャンルは、そのメインジャンルとともに、登録放送番組情報として、図１に示すＴＶ受像機１のデータ記録部３ｂに記録される。かかる登録放送番組情報は、作成ユーザ毎に区別して記録される。
【００７５】
このようなお好みジャンル登録によると、登録されたサブジャンル５９に該当する放送番組が受信放送番組表から選択され、選択されたこれら放送番組も作成ユーザのマイ番組表を構成することになる。
【００７６】
なお、お好みジャンル登録画面５７には、さらに、機能メニュー画面５５で指定された作成ユーザが既に登録したジャンルを表示した登録済みジャンル表示エリア６０が設けられており、既に設定しているジャンルを確認でき、また、同じジャンルの重複した登録を防ぐことができるようにしている。
【００７７】
図１０はキーワードからマイ番組表への番組登録を可能とする番組登録方法を示すものである。
【００７８】
先に説明したように、リモコン１０の番組表キー１２が操作されると、図３（ｂ）に示す希望の放送番組をカーソル３６で選択されている受信放送番組表画面３１が表示されるが、そこに表示されている放送番組の詳細を知りたい場合には、まず、その放送番組を選択した状態でリモコン１０の機能キー１８を操作する。すると、図９（ａ）に示すように、受信放送番組表画面３１に機能メニュー画面５５が重なって表示される。
【００７９】
そこで、この機能メニュー画面５５の選択項目「番組詳細」５６を選択・決定すると、図１０（ａ）に示すように、受信放送番組表画面３１に重なって番組詳細画面６１が表示される。この番組詳細画面６１では、受信放送番組表画面３１で選択されている放送番組の詳細情報が表示される。いま、選択されている放送番組がドラマ番組とすると、その放送番組（ドラマ）のタイトルや出演者，簡単な粗筋（図示せず）などが表示されることになる。また、選択項目「キーワード登録」６３と選択項目「閉じる」６４も設けられている。
【００８０】
単にこの放送番組の詳細を知るだけである場合には、選択項目「閉じる」６４をカーソル３６ｈで選択・決定することにより、もとの図９（ａ）に示す画面もしくは図３（ｂ）に示す画面に戻すことになるが、マイ番組表へのキーワード登録をする場合には、選択項目「キーワード登録」６３を選択・決定する。これにより、図１０（ｂ）に示すキーワード登録のための番組詳細画面６１ａに移り、この番組詳細画面６１ａに表示される番組のタイトルや出演者などの用語などをキーワードとして使用することができる。そして、カーソル３６ｉが表示されるとともに、キーワード登録のための最初の指示メッセージ６５ａも表示される。この指示メッセージ６５ａは、キーワードの最初の文字を選択させるための、例えば、「最初の文字を選択してください」というメッセージであって、この指示に基づいて、カーソル３６ｉをキーワードとする用語の最初の文字に移す。ここでは、例えば、「田中  太郎」という出演者の氏名をキーワードとするものであり、このため、カーソル３６ｉを最初の文字「田」に移動させてそれを選択・決定する。
【００８１】
かかる選択・決定操作がなされると、次に、キーワード登録の次の操作のための図１０（ｃ）に示す番組詳細画面６１ｂに移る。この番組詳細画面６１ｂでは、キーワードの最後の文字を選択させるための、例えば、「最後の文字を選択してください」という指示メッセージ６５ｂが表示され、この指示に基づいて、カーソル３６ｉをキーワードとする用語「田中  太郎」の最後の文字「郎」にカーソル３６ｉを移動させて選択・決定する。これにより、「田中  太郎」がキーワードとして設定されたことになり、これがキーワード登録の登録放送番組情報として、図１に示すＴＶ受像機１のデータ記録部３ｂに記録される。かかる登録放送番組情報も、作成ユーザ毎に区別して記録される。
【００８２】
以上のようにして、上記の録画予約，視聴予約やチェックの設定による登録放送番組情報やお好みジャンル登録による登録放送番組情報，キーワード登録による登録放送番組情報が作成ユーザ（設定ユーザ）毎に区分されてＴＶ受像機１のデータ記録部３ｂに記録される。そして、リモコン１０でマイ番組表の再生のための所定の操作をすると、この操作をした指定ユーザの登録放送番組情報（即ち、上記の予約やチェック，お好みジャンル登録，キーワード登録で登録された情報）に該当する放送番組のみがデータ記録部３ａに記録されている受信放送番組表の中から抽出され、この抽出された放送番組の情報と登録放送番組情報とから表示データ作成部４でこの指定ユーザのマイ番組表が作成される。このマイ番組表は表示データ合成部７及び信号出力部８を介して表示装置９に供給され、そこに表示される。
【００８３】
次に、このマイ番組表の表示について、図１１により説明する。
【００８４】
図９（ａ）に示す機能メニュー画面５５で選択項目「番組表  表示切換」５６を選択・決定すると、この機能メニュー画面５５に替わって、図１１（ａ）に示す番組表  表示切換画面６６が表示される。この番組表  表示切換画面６６には、ユーザＡ，Ｂ，Ｃ，Ｄを指定するためのアイコンが表示されるユーザ選択エリア６７が設けられており、そのアイコンの１つがカーソル３６ｊによって選択・決定できるようにしている。この番組表  表示切換画面６６には、選択項目「通常番組表」６８も設けられており、カーソル３６ｊによって選択することができる。この選択項目「通常番組表」を選択・決定すると、図３（ｂ）に示す受信放送番組表画面３１の表示に戻る。
【００８５】
この番組表  表示切換画面６６で、いま、ユーザＡのアイコンを選択・決定すると、図１１（ｂ）に示すように、このユーザＡのマイ番組表６９が現在の時間帯から表示される。このマイ番組表６９は、ユーザＡがじょうきのようにして録画予約や視聴予約，チェックの設定、お好みジャンル登録やキーワード登録した放送番組のみからなるものであって、これら夫々の放送番組毎に、設定，登録の方法が表示されている。この例では、放送番組ｋが録画予約の設定によるもの、放送番組ｍ，ｏがチェックによって設定されたもの、放送番組ｊ，ｐがお好みジャンルの登録によるもの、放送番組ｌ，ｎがキーワードの登録によるものである。なお、これらの表示される放送番組のうちの１つがカーソル３６ｋによって選択されている。
【００８６】
マイ番組表６９は、通常の受信放送番組表３１と異なって、既に放送が終了している過去の放送番組をも表示することができる。ＴＶ受像機１（図１）のデータ記録部３ａには、新たに放送番組表が受信されて記録されない限り、そのまま残されており、受信放送番組表を表示装置９で表示する場合には、現時点からの部分を表示する。しかし、マイ番組表６９の場合には、リモコン１０からの指示により、データ記録部３ａに記録されている受信放送番組表の現時点以前の該当する放送番組も抽出され、この放送番組の部分も表示装置９で表示されることになる。
【００８７】
このためのリモコン１０の操作としては、カーソル３６ｋと上キー１３の操作とにより、行なうことができる。即ち、カーソル３６ｋをマイ番組表６９の最上の放送番組（ここでは、放送番組ｊ）の位置に移動し、しかる後、さらに、上キー１３を操作する。これにより、マイ番組表６９の各放送番組が下方に移動し、上方からこれまで表示されていなかった放送番組が表示されるようになるが、現時点での時間帯を過ぎても、現時点以前に受信放送番組表があれば、これが上から下がってきて放送済みの放送番組が逆の時間系列で表示されていく。図１１（ｂ）はその表示状態のマイ番組表を示すものであって、放送番組ｊが現在放送中の番組、放送番組ｑ，ｒ，ｓが既に放送済みの番組を表わしている。
【００８８】
このようにして、ユーザは、これから放送される番組ばかりでなく、放送済みの番組までも確認することができ、自分が注目した放送番組はいつ、どのチャンネルで放送されるか、あるいは放送されたかなどを知ることができる。また、ユーザとしては、過去にどのような放送番組を予約設定したのか、チェック設定したのかを容易に知ることができるし、録画されている放送番組がどのような放送番組であるかもマイ番組表から推測することもできる。自分の注目した放送番組や録画した放送番組が「数時間前」，「数日前」などの時間経過との関係で把握し易い効果もある。そして、受信放送番組表が１週間にわたるなどの長期のものであって、かかる受信放送番組表から録画予約の設定を行なった場合には、１週間近く前の放送番組が録画されたままとなっている場合もあるが、このような録画番組でも、どのような放送番組であったが、再生しなくとも、マイ番組表から推測できるし、また、マイ番組表から過去に録画した放送番組も容易に判る。
【００８９】
ここで、この実施形態では、このマイ番組表６９に対し、これまで説明してきた受信放送番組表画面３１での所望放送番組の録画予約や視聴予約と同様の方法により、過去，未来を含めた所望放送番組の録画予約や視聴予約を行なうことができる。これを図１２により説明するが、これら予約の動作は同様であるので、視聴予約を例に説明する。
【００９０】
いま、図１１（ｃ）に示すマイ番組表６９の表示状態でリモコン１０の決定キー１７が操作されると、このときカーソル７０で選択されている放送番組ｑが選択・決定され、図３（ｃ）に示すような設定選択画面３８が表示される。但し、この設定選択画面３８には、「録画予約」，「視聴予約」の２つの選択項目３９しか設けられていない。
【００９１】
ここで、例えば、選択項目「視聴予約」３９を選択・決定した場合には、選択・決定されている放送番組が現時点以後に放送予定の放送番組に対しては、先の受信放送番組表の場合と同様、直ちにこの放送番組の視聴予約の設定がなされ、マイ番組表６９にも、その旨が表示されるが、選択・決定されている放送番組が既に放送済みの放送番組に対しては、図１２に示すように、予約確認画面７１が表示される。この予約確認画面７１では、選択項目「予約する」７２，「中止」７３とともに、「再放送  予約設定」という標題７４が表示され、ユーザに予約しようとしている放送番組が既に放送済みの番組であることを認識させる。これは、上記のように、マイ番組表６９は既に放送済みの番組を含むものであるが、ユーザがこれを認識していない場合もあるからである。
【００９２】
ユーザが、例えば、予約しようとする放送番組が既に放送済みの番組であることに気が付き、視聴予約する必要がないと判断した場合には、選択項目「中止」７３を選択・決定することにより（なお、図１２には、図示しないが、選択項目「予約する」７２，「中止」７３のいずれかを選択するカーソルがある）、その視聴予約はなされずに、もとの図１１（ｃ）に示すマイ番組表６９の表示状態に戻る。ユーザが、予約しようとする放送番組が、既に放送済みであっても、再放送があれば、視聴したいと判断した場合には、選択項目「予約する」７２を選択・決定することにより、直ちにこの放送番組の視聴予約の設定がなされ、マイ番組表６９にも、その旨が表示される
このようにして、マイ番組表６９からも、これから放送予定の放送番組ばかりでなく、放送済みの放送番組についても、その再放送を見込んで録画予約や視聴予約を行なうことができ、見損なった放送番組や放送されて評判になった放送番組などの視聴や録画を、番組表を監視しなくとも、実行可能となる。また、通常の受信放送番組表においても、現時点以前の内容を表示するようにすることにより、録画済み番組の再生や未録画番組の再放送時の予約を容易に行なわせることができる。
【００９３】
【発明の効果】
以上説明したように、本発明によれば、受信した放送番組に、時間帯毎の該チューナの予約の有無を示す情報を付加して表示するものであるから、同じ時間帯での新たな放送番組の予約設定が可能か否かを容易にかつ即座に認識でき、既にチューナの全てが予約されていても、チューナの使用を予約している予約予約設定放送番組に代えて新たな放送番組のチューナの使用を要する予約設定を容易に行なうことができる。
【００９４】
また、本発明は、マイ番組表に現時点以前の内容も表示させることができ、かつマイ番組表からの放送番組の予約を可能とするものであるから、過去の録画番組を容易に確認することができ、再放送の放送番組も簡単に視聴や録画が可能となる。
【図面の簡単な説明】
【図１】本発明による放送番組情報の表示方法を用いたテレビジョン受像機の一例の要部を示すブロック図である。
【図２】図１に示すテレビジョン受像機に用いられるリモートコントローラの一具体例を示す正面図である。
【図３】本発明による放送番組情報の表示方法の一実施形態の初期設定操作に伴う表示画面の流れを示す図である。
【図４】図３に示す初期操作に続く録画予約のための操作に伴う表示画面の流れを示す図である。
【図５】図１に示す全てのチューナが予約されているときの録画予約のための操作に伴う表示画面の流れを示す図である。
【図６】図５（ｃ）に示す画面で選択項目「優先順位設定へ」が選択されたときの表示画面の流れの一具体例を示す図である。
【図７】図５（ｃ）に示す画面で選択項目「優先順位設定へ」が選択されたときの表示画面の流れの他の具体例を示す図である。
【図８】図３に示す初期操作に続くチェック予約のための操作に伴う表示画面の流れを示す図である。
【図９】お好みジャンル登録によってマイ番組表に放送番組を登録するための画面と操作手順を説明するための図である。
【図１０】キーワード登録によってマイ番組表に放送番組を登録するための画面と操作手順を説明するための図である。
【図１１】マイ番組表とその表示のための操作を説明するための図である。
【図１２】マイ番組表からの放送番組の予約のための画面を示す図である。
【符号の説明】
１  ＴＶ受像機
２ａ，２ｂ  第２のチューナ
３ａ〜３ｃ  データ記録部
４  表示データ作成部
９  表示装置
１２  番組表キー
１３〜１６  移動キー
１７  決定キー
１８  機能キー
３１  受信放送番組表画面
３２  放送番組表
３３  チャンネル表示エリア
３４  時間帯表示エリア
３５  放送番組
３６，３６ａ〜３６  カーソル
３７ａ，３７ｂ  チューナ予約状況表示エリア
３８  設定選択画面
３９  選択項目
４０  設定確認画面
４１，４２  選択項目
４３  予約設定通知
４４  警告画面
４５，４６  選択項目
４７  優先順位設定画面
４８  放送番組
４９  チューナ予約状況欄
５０  確認画面
５４  チェック設定マーク
５５  機能メニュー画面
５６  選択項目
５７  お好みジャンル登録画面
５８  メインジャンル
５９  サブジャンル
６０  登録済みジャンル表示エリア
６１，６１ａ，６１ｂ  番組詳細画面
６６  番組表  表示切換画面
６９  マイ番組表
７１  再放送  予約設定画面
【図１】
2004153655.tif 000003
【図２】
2004153655.tif 000004
【図３】
2004153655.tif 000005
【図４】
2004153655.tif 000006
【図５】
2004153655.tif 000007
【図６】
2004153655.tif 000008
【図７】
2004153655.tif 000009
【図８】
2004153655.tif 000010
【図９】
2004153655.tif 000011
【図１０】
2004153655.tif 000012
【図１１】
2004153655.tif 000013
【図１２】
2004153655.tif 000014